(57)【要約】  本発明は地理的位置を決定するためのシステムおよび関連装置に関し、そのシステムは、複数の地点を表すように構成された自動認識可能な地図作成手段であって、前記地図作成手段の前記複数の地点のそれぞれの点が自動認識と関連付けられている自動認識可能な地図作成手段と、地図上の前記複数の地点の点に関連付けられた自動認識を読み取るように構成された自動認識読取り手段とを備える。次いで、決定手段が前記自動認識に関連する前記地点の地理的位置を決定できる。
2011507018.tif 000002
【特許請求の範囲】
【請求項１】
地理的位置を決定するためのシステムであって、
ａ．複数の地点を表すように構成された自動認識可能な地図作成手段（ＭＡＰ）であって、前記地図作成手段の前記複数の地点のそれぞれの点が自動認識と関連付けられている自動認識可能な地図作成手段（ＭＡＰ）と、
ｂ．前記地図上の前記複数の地点の点に関連付けられた前記自動認識を読み取るように構成された自動認識読取り手段（ＩＤ−ＲＥＡＤ）と、
ｃ．前記自動認識に関連する前記地点の地理的位置を決定するように構成された決定手段（ＩＤ−ＲＥＳ）とを備えることを特徴とする、システム。
【請求項２】
ｄ．前記自動認識に関連する前記点の前記地理的位置に基づいて、位置メタ情報サーバから前記点についての位置メタ情報を検索するように構成された位置メタ情報検索手段（ＭＩ−ＲＥＴＲ）をさらに備えることを特徴とする、請求項１に記載のシステム。
【請求項３】
ｅ．前記地点に関連付けられた自動認識に基づいて、地点の地理的位置にコンテンツを関連付けるように構成された関連付け手段（ＩＤ−ＡＳＳＯ）をさらに備えることを特徴とする、請求項２に記載のシステム。
【請求項４】
複数の地点を備え、それぞれの前記点が地上の物理的実体に対応する地図であって、前記地図が前記複数の地点のそれぞれの点に関連付けられた自動認識を備えることを特徴とする、地図。
【請求項５】
請求項１に記載のシステムで使用するための決定サーバ（ＲＥＳ＿ＳＥＲ）であって、前記決定サーバ（ＲＥＳ＿ＳＥＲ）が前記自動認識に関連する前記地点の地理的位置を決定するように構成された決定手段（ＩＤ−ＲＥＳ）を備えることを特徴とする、決定サーバ（ＲＥＳ＿ＳＥＲ）。
【請求項６】
前記決定サーバ（ＲＥＳ＿ＳＥＲ）システムが、前記地点に関連付けられた自動認識に基づいて、地点の地理的位置にコンテンツを関連付けるように構成された関連付け手段（ＩＤ−ＡＳＳＯ）をさらに備えることを特徴とする、請求項５に記載の決定サーバ（ＲＥＳ＿ＳＥＲ）。
【請求項７】
請求項２に記載のシステムで使用するための位置メタ情報サーバ（ＭＩ−ＳＥＲ）であって、前記位置メタ情報サーバ（ＭＩ−ＳＥＲ）が、前記自動認識に関連する前記点の前記地理的位置に基づいて前記地点についての位置メタ情報を検索するように構成された位置メタ情報検索手段（ＭＩ−ＲＥＴＲ）を備えることを特徴とする、位置メタ情報サーバ（ＭＩ−ＳＥＲ）。
【請求項８】
前記位置メタ情報検索手段（ＭＩ−ＲＥＴＲ）が、前記自動認識に関連する前記点に基づいて、およびユーザ嗜好に基づいて前記地点についての前記位置メタ情報を検索するようにさらに構成されることを特徴とする、請求項７に記載の位置メタ情報サーバ（ＭＩ−ＳＥＲ）。
【発明の詳細な説明】
【技術分野】
【０００１】
本発明は、地理的位置を決定するためのシステム、関連地図、装置、および方法に関する。
【背景技術】
【０００２】
このような主題は、たとえばユーザが興味を持っている位置についての情報が手動で入力される必要があるウェブベースの観光情報システムなどから、当分野ではすでによく知られている。このようなシステムは、このような手動のデータ入力は間違いが起きやすいという点で不都合である。都市または目的物の名前が誤って入力されると、情報が得られないか、誤った情報を得てしまうことになる。
【発明の概要】
【発明が解決しようとする課題】
【０００３】
本発明の目的は、上記の知られたタイプの、しかし間違いが起きにくく、同時により直観的なシステムを提供することである。
【課題を解決するための手段】
【０００４】
本発明によれば、この目的は請求項１に記載のシステム、請求項４に記載の地図、請求項５に記載の決定サーバによって達成される。
【０００５】
実際、複数の点を表すように構成された自動認識（ａｕｔｏ−ＩＤ）可能な地図作成手段を適用することによって、前記地図作成手段の前記複数の点のそれぞれの点が自動認識に関連付けられている地上の物理的実体を表し、たとえば移動電話のような移動ユーザ装置などの自動認識読取り手段によって前記地図上の離散した点に関連付けられた自動認識を読み取り、および自動認識に関連する地理的位置をさらに決定できる決定手段により、それぞれが地理的位置に関連する複数の自動認識を備えるリストから自動認識を決定する。
【０００６】
このような点は、場所、家屋または建造物、行楽地、興味のある彫刻、レストラン、ホテルなどの地上の物理的実体、あるいは四角く囲ったただの地上の点さえも表す。
【０００７】
自動認識は無線周波数認識ＲＦＩＤタグ、バーコード、またはセミペディア（ｓｅｍｉｐｅｄｉａ）などのタグである。
【０００８】
地図は、それぞれの位置または少なくとも複数の位置が自動認識読取り装置の手段によって読取り可能な自動認識に関連付けられた地図でよい。
【０００９】
本発明のさらなる特性は請求項２および請求項７で説明する。
【００１０】
前記自動認識に関連する前記点の前記地理的位置に基づいて、位置メタ情報サーバから前記点についての位置メタ情報を検索するように構成された位置メタ情報検索手段を適用することによって、自動認識に基づいて認識されたある位置についての歴史的、文化的、および社会的観光情報およびメディアなどのメタ情報が正確な方法で検索される。
【００１１】
本発明の他の特性は請求項３および請求項６で説明する。
【００１２】
前記地点に関連付けられた自動認識に基づいてコンテンツを地点の地理的位置に関連付けるように構成された関連付け手段によって、ユーザは自動認識に基づいて自分の写真、音声、または動画などのコンテンツを自分が訪れた地理的位置へのリンクに関連付けることができる。
【００１３】
本発明の他の特性は請求項８で説明する。
【００１４】
位置メタ情報検索手段は、前記自動認識に関連する前記点に基づいて、およびユーザ嗜好に基づいて、前記地点についての前記位置メタ情報を検索するようにさらに構成される。ユーザ嗜好のさらなるセットで、情報の選択はユーザが必要な情報により適合される。
【００１５】
特許請求の範囲で使用される「ｃｏｍｐｒｉｓｉｎｇ（備える）」という用語は、その後に記載される手段に限定されるものと解釈されるべきではない点に留意されたい。したがって、「手段ＡおよびＢを備える装置」という表現の範囲は、構成要素ＡおよびＢだけを含む装置に限定されるべきではない。本発明に関しては、装置の唯一の関連構成要素がＡおよびＢということを意味する。
【００１６】
同様に、特許請求の範囲でも使用される「ｃｏｕｐｌｅｄ（結合された）」という用語も、直接接続だけに限定されるものと解釈されるべきではない点に留意されたい。したがって、「装置Ｂに結合された装置Ａ」という表現の範囲は、装置Ａの出力が装置Ｂの入力に直接接続される装置またはシステムに限定されるべきではない。それはＡの出力とＢの入力との間にパスがあることを意味し、そのパスは他の装置または手段を含んでよい。
【００１７】
以下の実施形態の説明を添付の図面と併せて参照することにより、本発明の上記および他の目的および特徴がより明らかになり、本発明自体が最もよく理解されるであろう。
【図面の簡単な説明】
【００１８】
【図１】地理的位置を決定するためのシステムを示す図である。
【発明を実施するための形態】
【００１９】
以下のパラグラフでは、図面を参照して、本発明による方法の実装が実行される地理的位置を決定するためのシステムを説明する。
【００２０】
第１パラグラフでは、図面のネットワークの諸要素を説明し、第２パラグラフでは前に説明したネットワーク要素の全ての間の相互接続を定義し、後半のパラグラフでは地理的位置を決定するためのシステムおよび関連方法の実際の実行を説明する。
【００２１】
まず、本発明のシステムは、複数の地点を表すように構成された自動認識可能な地図作成手段ＭＡＰであって、前記地図作成手段の前記複数の地点のそれぞれの点が自動認識と関連付けられている、自動認識可能な地図作成手段ＭＡＰを備える。これは、当分野で知られているように何らかの国の地図でよいが、少なくとも全ての関連位置にＲＦＩＤなどの自動認識を添付してある。この自動認識は、別法ではバーコードまたはセミペディアでもよい。
【００２２】
このシステムは、前記地図上の複数の地点の点に関連付けられた自動認識を読み取るように構成された自動認識読取り手段ＩＤ−ＲＥＡＤをさらに備える。この自動認識読取り手段ＩＤ−ＲＥＡＤは、ＲＦＩＤ読取り装置などの自動認識読取り装置を備えた移動電話でもよく、あるいは通信用設備および少なくともこのような自動認識読取り装置、バーコード読取り装置、またはセミペディア読取り手段を備えたＰＤＡのようなより高度な装置でもよい。
【００２３】
他の装置は、まず前記自動認識に関連する前記地点の地理的位置を決定するための決定手段ＩＤ−ＲＥＳを備える、決定サーバＲＥＳ＿ＳＥＲである。この決定手段ＩＤ−ＲＥＳは、この場合はＲＦＩＤである自動認識を決定のための入力として使用して、たとえば緯度および経度などの地理的位置座標を決定する。決定サーバＲＥＳ＿ＳＥＲは、位置座標などの自動認識に関連する情報を保持するための格納手段ＳＴＯＲをさらに含む。
【００２４】
決定サーバＲＥＳ＿ＳＥＲは、前記地点に関連付けられた自動認識に基づいてコンテンツを地点の地理的位置に関連付けることができる関連付け手段ＩＤ−ＡＳＳＯをさらに備える。これは、関連付け手段によってユーザが地点に関連付けられた自動認識に基づいてコンテンツを地点の地理的位置に関連付けることができ、したがってユーザが自動認識に基づいて自分の写真、音声、または動画などのコンテンツを自分が訪れた地理的位置へのリンクに関連付けることができることを意味する。関連付けられたコンテンツまたはそのコンテンツを示すリンクは自動認識および位置座標のリンクに関連付けられてよい。したがって格納手段ＳＴＯＲは、それぞれが関連する地理的位置を備え、場合によってはユーザのコンテンツへのリンクを備える自動認識のリストを含んでよい。
【００２５】
このシステムは、自動認識に関連する前記点の前記地理的位置に基づいて地点についての観光情報などの位置メタ情報を検索するように構成された位置メタ情報検索手段ＭＩ−ＲＥＴＲをさらに備える、位置メタ情報サーバＭＩ−ＳＥＲをさらに備える。
【００２６】
さらにメタ情報検索手段ＭＩ−ＲＥＴＲは、自動認識に関連する前記点に基づいて、およびユーザ嗜好に基づいて、地点上の位置メタ情報を検索するように構成されてよい。観光情報などのメタ情報を決定することによって、検索は点の位置に基づくことができ、さらにユーザ嗜好のセットに基づいて選別することができる。ユーザ嗜好は、ユーザが必要とする情報の種類を指定する。
【００２７】
このシステムは、システムの他の装置間の全ての対話を調整する中間サーバＩ−ＳＥＲを備える。このサーバはシステムの他の装置にとってトランスペアレントでよい。
【００２８】
自動認識読取り手段ＩＤ−ＲＥＡＤは、近距離通信インターフェースＮＦＣ、バーコードスキャナインターフェース、またはカメラを介して地図と結合されうる。自動認識読取り手段ＩＤ−ＲＥＡＤは、ＧＳＭ、ＳＭＳ、ＭＭＳ、電子メール、ウェブサービス、または他の何らかのインターフェースなどの自動認識読取り手段ＩＤ−ＲＥＡＤの通信インターフェースを介して中間サーバＩ−ＳＥＲにさらに結合されている。
【００２９】
中間サーバＩ−ＳＥＲは入力／出力を介して決定サーバＲＥＳ＿ＳＥＲにさらに結合されている。また、入力／出力通信回線を介して位置メタ情報サーバＭＩ−ＳＥＲに結合されている。
【００３０】
決定手段ＩＤ−ＲＥＳおよび関連付け手段ＩＤ−ＡＳＳＯの両方は、決定サーバＲＥＳ＿ＳＥＲの入力／出力端末に結合された入力／出力端末を有する。さらに、決定手段ＩＤ−ＲＥＳおよび関連付け手段ＩＤ−ＡＳＳＯの両方は、格納手段ＳＴＯＲへの入力／出力に結合されている。
【００３１】
本発明を説明するために、たとえばパリを訪れる予定のユーザがパリへの旅についての情報を検索したいと仮定する。したがってユーザはパリの自動認識可能な地図を所有し、この地図はそれぞれの興味がある点にＲＦＩＤを添付している。さらに、ユーザは好きなように使用できるＲＦＩＤ読取り可能移動電話を有する。次いで、ユーザはシャンゼリゼ訪れたいので自分の移動電話ＩＤ−ＲＥＡＤで地図ＩＤ−ＭＡＰ上のシャンゼリゼにタッチする。移動電話は検出された自動認識、すなわちＲＦＩＤを中間サーバＩ−ＳＥＲに送信する。次いで、中間サーバＩ−ＳＥＲはその自動認識を決定サーバＲＥＳ＿ＳＥＲに転送し、決定サーバＲＥＳ＿ＳＥＲは決定手段ＩＤ−ＲＥＳによってタッチされた位置、すなわちシャンゼリゼに関連する自動認識に関連する前記地点の地理的位置を決定する。これは、格納手段ＳＴＯＲによって維持される表における自動認識を調べることによって実行されてよい。それに応答して、決定手段ＩＤ−ＲＥＳが、タッチされた位置の地理的位置座標（緯度および経度で表される）を決定して、位置メタ情報サーバＭＩ−ＳＥＲの位置メタ情報検索手段ＭＩ−ＲＥＴＲに、決定手段ＩＤ−ＲＥＳによって決定された地理的位置座標を使用して位置メタ情報、すなわちタッチされた位置についての観光情報を検索するよう要求する中間サーバＩ−ＳＥＲにこれらの座標を転送する。検索された位置メタ情報は、ユーザの情報ニーズにより適した結果を取得するために任意選択でユーザ嗜好のセットを使用して選別されてよい。さらにユーザ嗜好に基づく位置メタ情報の検索を処理するために、中間サーバＩ−ＳＥＲは地理的位置座標に加えてユーザプロファイルに関する情報も位置メタ情報サーバＭＩ−ＳＥＲに転送する。
【００３２】
次いで、検索された情報が中間サーバＩ−ＳＥＲを介してユーザの移動電話に転送される。
【００３３】
あるいは、中間サーバＩ−ＳＥＲが検索する位置メタ情報は中間サーバＩ−ＳＥＲによって選別されてよい。次いで中間サーバＩ−ＳＥＲは選別された位置メタ情報をユーザの移動電話に向けて転送する。
【００３４】
任意選択で、物理的にシャンゼリゼを訪れているときにユーザはシャンゼリゼおよび周辺の写真を何枚か取ってよい。その後、ユーザはそれらの写真を自動認識とともに、中間サーバＩ−ＳＥＲを介して決定サーバＲＥＳ＿ＳＥＲの関連付け手段ＩＤ−ＡＳＳＯに送信してよい。関連付け手段ＩＤ−ＡＳＳＯはこの写真またはリンクを格納装置、または写真が格納されそこから検索できるＦＬＩＣＫＲ、ＹＯＵＴＵＢＥなどのサービスに格納する。写真は同時または並行して格納装置またはサービスに格納されてよい。
【００３５】
このユーザはパリの自動認識可能な市街地図でパリへの旅行をさらに計画したい。自分の移動ハンドセットでタッチすることによって、ユーザはシャンゼリゼ、エッフェル塔、ノートルダム大聖堂、ルーブル美術館などについての多くの興味深い歴史および文化情報を収集する。ユーザは３日以内にほとんどの行楽地に訪れると決定する。それぞれの場所での時間の長さの入力とともに、訪れる順序でそれらの地点に再びタッチした後、中間サーバは開始地点、ある場所から別の場所への移動方法、昼食に最も適する時間／場所などの情報を含む詳細かつ個人向けの旅行計画をユーザに提供する。
【００３６】
この旅行計画はユーザの移動電話に転送される。
【００３７】
それぞれの位置ごとの情報処理は、前述の通りシャンゼリゼの例のように処理されうる。
【００３８】
ユーザが予定通りの時刻にパリに到着する。ユーザはあらかじめ定められた自分の旅行計画に基づいて、中間サーバＩ−ＳＥＲから「エッフェル塔行きのメトロ１１番に乗ってください。約１０分かかります」というメッセージを自分の移動ハンドセットに受信する。エッフェル塔に到着すると、移動ハンドセットは歴史、建築、および文化に関連してエッフェル塔の紹介を開始する。紹介は「写真／ビデオを撮影して、地図上のスポットにタッチすることによってエッフェル塔に関連付けることができます」で終了する。移動ハンドセットからの自動ガイドによって、ユーザは３日間の旅を終了する。
【００３９】
ユーザが地図上でタッチしたエッフェル塔に到着すると、移動ハンドセットはコンテキスト情報、たとえば時刻および位置を中間サーバＩ−ＳＥＲに送信する。この例示的シナリオでは、ユーザが常に自分の元の計画に忠実であると仮定する。入力コンテキスト情報およびユーザ／装置プロファイルに基づいて、中間サーバＩ−ＳＥＲは対応するコンテキストをマルチメディアフォーマットで返信する。たとえばユーザはエッフェル塔の周囲を歩きまわっている間は音声情報の方を好む。
【００４０】
ユーザが自分の移動ハンドセットを介して写真を撮影し、地図上のエッフェル塔をタッチすると、移動ハンドセットは自動認識およびその写真を中間サーバＩ−ＳＥＲに送信する。次いで、中間サーバＩ−ＳＥＲはその写真を預けて、自動認識および写真のＵＲＩを自動認識決定サーバＲＥＳ＿ＳＥＲに送信する。メディアをＦｌｉｃｋｒ、ＹｏｕＴｕｂｅなどの第三者ドメイン内に格納したいユーザのために、中間サーバＩ−ＳＥＲはまずウェブサービスを介してコンテンツを預ける。
【００４１】
ユーザが計画より２時間遅れてパリに到着する。ユーザはあらかじめ定められた自分の旅行計画に基づいて、中間サーバＩ−ＳＥＲから「あなたは２時間遅れています。元の計画を実行することはできません。元の計画を修正しなければなりません」というメッセージを自分の移動ハンドセットに受信する。ユーザが地図上のエッフェル塔にタッチすると、「訪問時間を減らす」または「キャンセル」という２つの選択肢が提供される。「キャンセル」がクリックされると、Ｉ−ＳＥＲは元の計画からエッフェル塔を削除して、それに応じて旅行計画を再定義する。
【００４２】
元の計画における行楽地を追加、修正、および削除するためには、まず始めに移動ハンドセットと中間サーバＩ−ＳＥＲ（任意選択でＲＥＳ＿ＳＥＲを含む）との間でいくつかのメッセージ対話がある。
【００４３】
パリから戻った後、ユーザは自分の兄弟の誕生日パーティに招待される。ユーザは自分の兄弟にプレゼントとしてパリの地図をあげることに決める。パーティの間、ユーザの兄弟がユーザの移動ハンドセットまたはテレビに接続された固定読取り装置で地図にタッチすると、ユーザがパリで撮影した写真および動画などのメディアとともに説明が流れる。
【００４４】
最終的な注釈は、本発明の実施形態は上記で機能ブロックに関して説明されたということである。上記のこれらのブロックの機能的な説明から、電子装置を設計する当業者にはこれらのブロックの実施形態がよく知られた電子構成要素でどのように製造されうるかが明らかであろう。したがって機能ブロックのコンテンツの詳細なアーキテクチャは示さない。
【００４５】
上記で特定の装置に関連して本発明の原理を説明したが、この説明は例示のためにのみ行われたものであり、添付の特許請求の範囲で定義される本発明の範囲を限定するものではないことが明らかに理解されるべきである。
【図１】
2011507018.tif 000003
【国際調査報告】
2011507018.tif 000004
2011507018.tif 000005
2011507018.tif 000006